(57)【要約】【課題】光源部の着脱が容易に行える安価な照明器具を提供する。【解決手段】照明装置１は、一端側２ａに設けられた光源１０と、電気接続部２１，２１が他端側２ｂから突出してなるプラグ１１とを有する灯体２と、給電部３６，３６およびソケット本体３５を有するソケット３０と、ソケット３０を収容する内部空間３１と、この内部空間３１においてソケット本体３５が移動することによって給電部３６，３６にプラグ１１の電気接続部２１，２１が係合できるようにソケット本体３５を支持する支持部材３２，３２とを有して構成された器具本体３と、灯体２が器具本体３に取り付けられる取付手段４とを具備する。【選択図】図９
2007294353.tif 000002
【特許請求の範囲】
【請求項１】
一端側に設けられた光源と、他端側に設けられ、電気接続部が他端側から外方に突出してなるプラグとを有する灯体と；
給電部およびこの給電部が設けられたソケット本体を有してなるソケットと、前記ソケットを収容する内部空間と、この内部空間においてソケット本体が移動することによって前記給電部にプラグの電気接続部が係合できるように前記ソケット本体を支持する支持部材とを有して構成された器具本体と；
灯体または器具本体のいずれか一方に設けられた係止部と他方に設けられた被係止部とを有してなり、前記係止部が前記被係止部に係止することにより、プラグの電気接続部がソケットの給電部に係合されて灯体が器具本体に取り付けられる取付手段と；
を具備することを特徴とする照明装置。
【請求項２】
給電部およびこの給電部が設けられたソケット本体を有してなるソケットを有して構成された器具本体と；
一端側に設けられた光源と、この光源と電気的に接続された電気接続部を有するプラグと、前記電気接続部が他端側から外方に突出するようにプラグを収容する内部空間と、この内部空間においてプラグが移動することによって前記給電部にプラグの電気接続部が係合できるようにプラグを支持する支持部材とを有して構成された灯体と；
灯体または器具本体のいずれか一方に設けられた係止部と他方に設けられた被係止部とを有してなり、前記係止部が前記被係止部に係止することにより、プラグの電気接続部がソケットの給電部に係合されて灯体が器具本体に取り付けられる取付手段と；
を具備することを特徴とする照明装置。
【請求項３】
灯体は、他端側に器具本体が導入されるように他端側が略箱状に形成され、かつ略箱状における両側面の内面側に器具本体に案内される案内手段が形成され、器具本体は、灯体に導入される略箱状に形成され、かつ略箱状における両側面に前記案内手段を案内する切り欠き部が形成されていることを特徴とする請求項１または２記載の照明装置。
【請求項４】
取付手段の係止部は、灯体の両側面において器具本体の前記切り欠き部に対向する位置にそれぞれ設けられた略長方体からなり、この略長方体の略中央部が軸支され、他端側が灯体の側面の内面側に配設されたばねにより押圧されることにより一端側が前記被係止部に係止し、他端側が把持されて押圧されることにより前記ばねが縮み一端側が拡開して前記被係止部から取り外れるように形成されていることを特徴とする請求項３記載の照明装置。
【請求項５】
器具本体は、下部側が支持体に軸支され、灯体に導入される後端側の上面に灯体の上面より突出しない突出部を有するように形成され、灯体は、上面に前記突出部に対向して切り欠き部が形成されていることを特徴とする請求項３または４記載の照明装置。
【発明の詳細な説明】
【技術分野】
【０００１】
本発明は、光源を有する灯体が着脱される照明装置に関する。
【背景技術】
【０００２】
発光ダイオード（ＬＥＤ）を具備する照明器具には、発光ダイオードが寿命となるまで使用され、発光ダイオードの寿命とともに廃棄されているものがある。すなわち、発光ダイオードは、長寿命であり、小形で取り扱いにくいので、発光ダイオードを交換するという仕様が少なく、照明器具に一体化されている。しかし、発光ダイオードを含む光源部の構成部品に寿命や不具合が発生することにより、または発光ダイオードの光色を換える要望などにより、光源部を容易に交換できる照明器具が要望されている。
【０００３】
光源部を容易に交換できるものとして、照明器具に着脱式コネクタ、すなわちプラグおよびソケットを具備することが考えられる。このとき、プラグの栓刃がソケットに容易に挿入できるように構成する必要がある。すなわち、プラグの栓刃をソケットに挿入するときのミスアライメントを吸収させることが求められる。
【０００４】
上記ミスアライメントを吸収できる着脱式コネクタとして、例えばコネクタピンを弾性体で支承するものやコネクタピンに半球状の支承部とこれに対応する受部をもつ着脱式コネクタが提供されている（特許文献１参照。）。この従来技術の着脱式コネクタは、コネクタピンが弾性体で支承されているため、コネクタピンがソケット軸芯に合致するように弾性体が縮み、ミスアライメントが吸収されて円滑に結合するものである。
【特許文献１】特開平３−４３９７３号公報（第４２３頁、第１図）
【発明の開示】
【発明が解決しようとする課題】
【０００５】
特許文献１の着脱式コネクタは、コネクタピンに弾性体や半球状の支承部などを具備するので、構成が複雑となって高価になる。したがって、当該着脱式コネクタを具備する照明器具は、同様に、少なくともコネクタ部分の構成が複雑となり、高価になるという欠点を有する。そして、発光ダイオードを含む光源部を交換する照明器具においては、光源部の着脱が光源部を交換するときにのみ行われるので、着脱式コネクタが複雑な構成で高価になることは不経済である。
【０００６】
本発明は、光源部の着脱が容易に行える安価な照明器具を提供することを目的とする。
【課題を解決するための手段】
【０００７】
請求項１に記載の照明装置の発明は、一端側に設けられた光源と、他端側に設けられ、電気接続部が他端側から外方に突出してなるプラグとを有する灯体と；給電部およびこの給電部が設けられたソケット本体を有してなるソケットと、前記ソケットを収容する内部空間と、この内部空間においてソケット本体が移動することによって前記給電部にプラグの電気接続部が係合できるように前記ソケット本体を支持する支持部材とを有して構成された器具本体と；灯体または器具本体のいずれか一方に設けられた係止部と他方に設けられた被係止部とを有してなり、前記係止部が前記被係止部に係止することにより、プラグの電気接続部がソケットの給電部に係合されて灯体が器具本体に取り付けられる取付手段と；を具備することを特徴とする。
【０００８】
本発明および以下の各発明において、特に言及しない限り、各構成は以下による。
【０００９】
「プラグの電気接続部が他端側から外方に突出する」とは、灯体の外部に突出するものに限定されず、灯体の内部空間に突出していることも許容される。
【００１０】
プラグの電気接続部の形状は、特に限定されるものでなく、例えば栓刃やピンであってもよい。
【００１１】
光源は、プラグの電気接続部に接続されており、電気接続部がソケットの給電部に係合されることにより、給電されて点灯する。
【００１２】
本発明によれば、プラグの電気接続部がソケットの給電部に係合されるとき、ソケット本体が移動することによってプラグの電気接続部が給電部に導かれる。これにより、プラグの電気接続部がソケットの給電部に容易に係合される。また、取付手段の係止部を被係止部に係止させるとき、ソケット本体が移動することによって係止部を被係止部に係止させる裕度が高まり、係止部を被係止部に容易に係止させることができる。すなわち、灯体を器具本体に容易に取り付けられる。
【００１３】
請求項２に記載の照明装置の発明は、給電部およびこの給電部が設けられたソケット本体を有してなるソケットを有して構成された器具本体と；一端側に設けられた光源と、この光源と電気的に接続された電気接続部を有するプラグと、前記電気接続部が他端側から外方に突出するようにプラグを収容する内部空間と、この内部空間においてプラグが移動することによって前記給電部にプラグの電気接続部が係合できるようにプラグを支持する支持部材とを有して構成された灯体と；灯体または器具本体のいずれか一方に設けられた係止部と他方に設けられた被係止部とを有してなり、前記係止部が前記被係止部に係止することにより、プラグの電気接続部がソケットの給電部に係合されて灯体が器具本体に取り付けられる取付手段と；を具備することを特徴とする。
【００１４】
本発明によれば、プラグの電気接続部がソケットの給電部に係合されるとき、プラグが移動することによってプラグの電気接続部が給電部に導かれる。これにより、プラグの電気接続部がソケットの給電部に容易に係合される。また、取付手段の係止部を被係止部に係止させるとき、プラグが移動することによって係止部を被係止部に係止させる裕度が高まり、係止部を被係止部に容易に係止させることができる。すなわち、灯体を器具本体に容易に取り付けられる。
【００１５】
請求項３に記載の照明装置の発明は、請求項１または２記載の照明装置において、灯体は、他端側に器具本体が導入されるように他端側が略箱状に形成され、かつ略箱状における両側面の内面側に器具本体に案内される案内手段が形成され、器具本体は、灯体に導入される略箱状に形成され、かつ略箱状における両側面に前記案内手段を案内する切り欠き部が形成されていることを特徴とする。
【００１６】
案内手段は、例えばレールや突部とすることができる。
【００１７】
本発明によれば、灯体の案内手段が器具本体の切り欠き部に案内されることにより、プラグの電気接続部がソケットの給電部に導かれて給電部に係合される。
【００１８】
請求項４に記載の照明装置の発明は、請求項３記載の照明装置において、取付手段の係止部は、灯体の両側面において器具本体の前記切り欠き部に対向する位置にそれぞれ設けられた略長方体からなり、この略長方体の略中央部が軸支され、他端側が灯体の側面の内面側に配設されたばねにより押圧されることにより一端側が前記被係止部に係止し、他端側が把持されて押圧されることにより前記ばねが縮み一端側が拡開して前記被係止部から取り外れるように形成されていることを特徴とする。
【００１９】
プラグの電気接続部がソケットの給電部に完全に係合されたときに、係止部の一端側が被係止部に位置するようにすると、係止部の他端側が灯体の内部側からばねにより押圧されることにより、一端側が自動的に被係止部に係止される。
【００２０】
本発明によれば、取付手段の係止部の略中央部が軸支されているので、係止部の一端側が被係止部に位置するときに、係止部の他端側の把持が解除されると、他端側がばねにより灯体の内部側から押圧されることにより一端側が閉じて取付手段の被係止部に係止する。そして、係止部の他端側を把持して押圧すると、ばねが縮み一端側が拡開して被係止部から取り外れる。そして、係止部が被係止部に係止しているとき、灯体は、器具本体に略密着して取り付けられる。
【００２１】
請求項５に記載の照明装置の発明は、請求項３または４記載の照明装置において、器具本体は、下部側が支持体に軸支され、灯体に導入される後端側の上面に灯体の上面より突出しない突出部を有するように形成され、灯体は、上面に前記突出部に対向して切り欠き部が形成されていることを特徴とする。
【００２２】
器具本体の下部側が支持体に軸支されていることにより、器具本体に取り付けられる灯体の一端側が回動自在となり、光源の照射方向が任意に替えられる。
【００２３】
突出部が灯体の上面より突出しないことにより、灯体および器具本体の見栄えが損なわれることが抑制され、突出部による引っ掛かりなどの人的事故が抑制される。
【００２４】
本発明によれば、灯体の上面の切り欠き部から器具本体の突出部を支持することにより、下部側が支持体に軸支されている器具本体を動かすことなく、灯体が器具本体に着脱される。
【発明の効果】
【００２５】
請求項１の発明によれば、ソケット本体が移動することによってプラグの電気接続部がソケットの給電部に容易に係合され、取付手段の係止部を被係止部に容易に係止させられるので、灯体を器具本体に容易に取り付けることができる。そして、ソケットを収容する内部空間において、ソケット本体が移動するようにソケット本体が支持部材により支持されるので、プラグの電気接続部をソケットの給電部に係合するミスアライメントに対する構成を簡素にすることができ、これにより、照明装置を安価に形成することができる。
【００２６】
請求項２の発明によれば、プラグが移動することによってプラグの電気接続部がソケットの給電部に容易に係合され、取付手段の係止部を被係止部に容易に係止させられるので、灯体を器具本体に容易に取り付けることができる。そして、プラグを収容する内部空間において、プラグが移動するようにプラグが支持部材により支持されるので、プラグの電気接続部をソケットの給電部に係合するミスアライメントに対する構成を簡素にすることができる。これにより、照明器具を安価に形成することができる。
【００２７】
請求項３の発明によれば、灯体の案内手段を器具本体の切り欠き部に案内させることにより、プラグの電気接続部がソケットの給電部に係合されるので、プラグの電気接続部をソケットの給電部に位置決めさせる手間を要しなくすることができ、プラグの電気接続部をソケットの給電部に容易に係合することができる。
【００２８】
請求項４の発明によれば、取付手段の係止部の他端側の把持またはその解除により、係止部の一端側が取付手段の被係止部に係止され、または被係止部から取り外れるので、灯体の器具本体への着脱を容易に行うことができる。そして、灯体が器具本体に略密着するように取り付けられ、光源からの熱を灯体および器具本体から放熱させることができるので、光源の温度上昇に裕度が生じる結果、灯体を小形化することができる。
【００２９】
請求項５の発明によれば、灯体の上面の切り欠き部から器具本体の突出部を支持することにより、下部側が支持体に軸支されている器具本体を動かさなくすることができるので、灯体を器具本体に容易に着脱させることができる。
【発明を実施するための最良の形態】
【００３０】
以下、本発明の一実施の形態について、図面を参照して説明する。まず、本発明の第１の実施形態について説明する。
【００３１】
図１ないし図９は、本発明の第１の実施形態を示し、図１は照明装置の概略側面図、図２は照明装置の概略正面図、図３は照明装置の概略背面図、図４は照明装置の一部切り欠き概略上面図、図５は灯体の概略断面図、図６は灯体の概略背面図、図７は器具本体の概略断面図、図８は器具本体の概略正面図、図９は照明装置の概略断面図である。
【００３２】
図１においては、照明装置１は、例えば展示品を照明するスポットライトであり、灯体２、器具本体３および取付手段４を有して構成されている。照明装置１は、器具本体３の下部側３ａが略円筒状のポール５に軸支されており、図中上下方向に所定角度に亘り回動自在となっている。
【００３３】
灯体２は、アルミニウム（Ａｌ）からなり、図５に示すように、略長方体の一端側２ａに円状の凹部６，６が形成され、他端側２ｂに長方形状の凹部７と、この凹部７の底面に長方形状の凹部８が形成されている。凹部６，６と凹部８は、それぞれ貫通孔９，９により連通されている。そして、凹部６，６に光源としての発光ダイオード１０，１０が設けられ、凹部７，８にプラグ１１が設けられている。凹部７により、灯体２の他端側２ｂは、略箱状に形成されている。
【００３４】
凹部６，６のそれぞれの底面には、円状の基体１２，１２が例えば接着材により固着されている。基体１２には、発光ダイオード１０を実装している回路基板１３および発光ダイオード１０を包囲するレンズ１４を支持している支持部材１５が配設されている。基体１２，１２および支持部材１５，１５の配設により、図２に示すように、灯体２の一端側２ａの端面の図中上下２箇所の部位に、それぞれ発光ダイオード１０からの放射光が出射されるレンズ１４が露出している。
【００３５】
また、図５に示すように、凹部７の底面には、基板１６がねじ１７，１７により固定されている。基板１６の中央部には、図示しない孔が形成されている。そして、基板１６は、当該孔にプラグ１１の底部１８を嵌め込むようにしてプラグ１１を配設している。すなわち、プラグ１１は、ねじ１９，１９により基板１６に固定されている。
【００３６】
プラグ１１の底部１８には、凹部８の内部に突出する一対の接続ピン２０，２０が立設されている。そして、プラグ１１の電気接続部としての栓刃２１，２１は、四角柱状に形成され、灯体２の他端側２ｂから外方に向けて突出するように、凹部７内に突出している。プラグ１１の栓刃２１，２１と一対の接続ピン２０，２０は、プラグ１１の内部で電気接続されている。接続ピン２０，２０と発光ダイオード１０，１０は、図示しないリード線により直列的に接続されている。プラグ１１の栓刃２１，２１に点灯装置からの電力が供給されると、発光ダイオード１０，１０が点灯（発光）して、発光ダイオード１０，１０から可視光が放射される。
【００３７】
そして、灯体２は、他端側２ｂの両側面２ｃ，２ｃの内面に、外方側に位置する一端側２２ａが凹状に切り欠きされた略長方体２２をそれぞれ設けている。略長方体２２の凹状に切り欠きされた部位には、取付手段４の係止部としての係止部材２３の略中央部２３ｂの部位が挿入されている。そして、係止部材２３の略中央部２３ｂは、図６に示すように、略長方体２２の図中上面側および下面側からねじ２４，２４により軸支されている。
【００３８】
略長方体２２の上面および下面は、灯体２の他端側２ｂの側面２ｃ，２ｃ側に向かうにつれて幾分突出する略円弧状に形成されている。そして、略長方体２２の上面および下面と、灯体２の他端側２ｂの側面２ｃ，２ｃの内面との境界２５，２５は、レール状になっており、他端側２ｂに形成された凹部７内に器具本体３が導入されるときの案内の役目をする。すなわち、灯体２の他端側２ｂの側面２ｃ，２ｃの内面側に設けられた略長方体２２，２２は、灯体２の他端側２ｂが器具本体３に案内される案内手段を形成している。
【００３９】
そして、係止部材２３の他端側２３ａから略中央部２３ｂに至る部位は、中空の略長方体に形成され、図４に示すように、他端側２３ａを押圧するばね２６が配設されている。ばね２６は、係止部材２３の略長方体の中空に配設されるようにして、灯体２の他端側２ｂの側面２ｃ，２ｃの内面側に配設されている。そして、係止部材２３の一端側２３ｃの先端部は、係止爪２７に形成されている。
【００４０】
係止部材２３の他端側２３ａがばね２６により灯体２の外方側に押圧されると、略中央部２３ｂがねじ２４，２４により軸支されているので、シーソーの原理により、一端側２３ｃが内方側に閉じる。そして、一端側２３ｃの係止爪２７が器具本体３に設けられた被係止部としての段部２８に係止する。
【００４１】
また、係止部材２３の他端側２３ａが灯体２の外方側から把持されて押圧されると、ばね２６が縮み、他端側２３ａが灯体２の内部側に偏位する。そして、シーソーの原理により、一端側２３ｃが拡開して係止爪２７が器具本体３の段部２８から取り外れるようになる。
【００４２】
そして、図１または図４に示すように、灯体２の両側面２ｃ，２ｃは、段状に形成されて外表面積を大きくしている。発光ダイオード１０，１０からの熱を放熱させるために形成している。そして、灯体２は、光源部として機能する。また、灯体２は、図５または図６に示すように、下面２ｄの他端側２ｂが切り欠きされている。この切り欠き部２ｅに器具本体３の下部側３ａが挿入される。
【００４３】
そして、灯体２の他端側２ｂに導入される器具本体３は、図７および図８に示すように、アルミニウム（Ａｌ）からなり長方形状の略箱状に形成された本体部２９、プラグ１１の栓刃２１，２１（電気接続部）が係合（挿入）されるソケット３０、ソケット３０を収容する内部空間３１およびソケット３０を支持する支持部材３２，３２を有して構成されている。内部空間３１は、本体部２９が略箱状に形成されることにより形成されている。
【００４４】
本体部２９の底面２９ａには、それぞれ角柱状に形成された同一高さの取付部材３３，３３と取付部材３４，３４が固着されている。そして、ソケット３０は、ソケット本体３５の一端側３５ａに給電部としての一対の刃受３６，３６が埋設され、他端側３５ｂに一対の接続ピン３７，３７が立設されている。ソケット３０は、接続ピン３７，３７が取付部材３３，３３間に位置するようにしてソケット本体３５の他端側３５ｂが取付部材３３，３３に載置されている。刃受３６，３６および接続ピン３７，３７は、ソケット本体３５の内部で電気接続されている。また、接続ピン３７，３７は、ポール５内から引き込まれたリード線（図示しない。）に接続されている。ソケット３０の刃受３６，３６は、図８に示すように、入口側がテーパ状に形成されている。
【００４５】
支持部材３２，３２は、それぞれ下板部３２ａ、側板部３２ｂおよび上板部３２ｃを有する上端側を逆Ｌ字型に曲折した略Ｌ形板体に形成されている。そして、下板部３２ａ，３２ａが取付部材３４，３４にねじ３８，３８により固定されている。下板部３２ａ，３２ａが取付部材３４，３４にねじ留めされたときに、上板部３２ｃ，３２ｃがソケット本体３５の一端側３５ａの両端側３５ｃ，３５ｃを押えている。ソケット本体３５は、取付部材３３，３３と支持部材３２，３２の上板部３２ｃ，３２ｃとにより支持されているが、刃受３６の長手方向と直交する方向で移動可能となっている。しかし、当該移動は、例えば支持部材３２，３２の側板部３２ｂ，３２ｂ間などに限定されるなど、側板部３２ｂ，３２ｂやその他の図示しない規制部により規制されている。その移動距離は、前後左右において、例えば０．３〜１．０ｍｍである。ソケット本体３５が移動することによって、プラグ１１の栓刃２１，２１（電気接続部）が刃受３６，３６（給電部）の入口側から内部に容易に挿入されて係合される。
【００４６】
そして、本体部２９は、背面２９ｂ側において、図中上下方向の中間の両端側が切り欠きされ、図４に示すように、取付手段４の被係止部としての段部２８が形成されている。この段部２８に灯体２に設けられた係止部材２３の係止爪２７が係止される。このとき、図３に示すように、係止部材２３の係止爪２７側は、本体部２９の背面２９ｂと略面一となるようにしている。そして、灯体２の他端側２ｂに器具本体３が完全に導入されたときに、係止部材２３の係止爪２７が段部２８に係止される。
【００４７】
また、本体部２９は、図７に示すように、両側面２９ｃ，２９ｃに灯体２の略長方体２２，２２を案内する切り欠き部３９がそれぞれ形成されている。切り欠き部３９の図７中の上下方向および幅方向は、前記略長方体２２，２２が干渉しない大きさに形成されている。灯体２の他端側２ｂに器具本体３が導入されるとき、切り欠き部３９の端面は、略長方体２２の上面および下面と、灯体２の他端側２ｂの側面２ｃ，２ｃの内面との境界２５，２５に沿うようにして移動する。
【００４８】
また、本体部２９は、背面２９ｂ側の上面２９ｄに略長方体の突出部４０が形成されている。突出部４０が形成されている本体部２９の背面２９ｂ側は、本体部２９（器具本体３）が灯体２に導入されたときの後端側となっている。突出部４０は、その背面４０ｃが本体部２９の背面２９ｂと同一面となっていて、図８に示すように、灯体２に導入される方向の中央部に所定長に亘って形成されている。
【００４９】
そして、突出部４０は、本体部２９が灯体２に導入されたときに、灯体２の上面２ｆよりも突出しないように形成されている。そして、灯体２は、図４に示すように、他端側２ｂの上面２ｆに突出部４０に対向して略長方形状の切り欠き部４１が形成されている。この切り欠き部４１が設けられていることにより、突出部４０が露出し、突出部４０を人の指などで押えることや支持または把持することができる。
【００５０】
そして、本体部２９（器具本体３）の下部側３ａは、図７または図８に示すように、支持体としてのポール５に軸支されている。器具本体３は、ポール５に支持され、図７中、左側方向に回動することができる。
【００５１】
図９は、灯体２が器具本体３に取付けられた状態を示している。灯体２の他端側２ｂに器具本体３が導入されているときに、プラグ１１の栓刃２１，２１（電気接続部）がソケット３０の刃受３６，３６（給電部）に挿入（係合）される。そして、灯体２の係止部材２３が器具本体３（本体部２９）の段部２８に係止されるときには、プラグ１１の栓刃２１，２１は、ソケット３０の刃受３６，３６に完全に挿入されて、刃受３６，３６と電気接続されている。そして、照明装置１は、灯体２の係止部材２３の係止爪２７が器具本体３の段部２８に係止されることにより、灯体２および器具本体３が結合されている。
【００５２】
次に、本発明の第１の実施形態の作用について述べる。
【００５３】
灯体２を器具本体３に取り付けるときには、灯体２の他端側２ｂの内部に器具本体３（本体部２９）の上面２９ｄ側および両側面２９ｃ，２９ｃ側を導入（挿入）させる。すると、器具本体３の切り欠き部３９，３９の端面が灯体２に形成されている略長方体２２，２２の上面および下面と、灯体２の両側面２ｃ，２ｃの内面との境界２５，２５に位置するようになる。
【００５４】
そして、灯体２を器具本体３の後端側（背面２９ｂ側）に向けて押し込むと、器具本体３（本体部２９）の切り欠き部３９，３９の端面が前記境界２５，２５に沿うとともに、本体部２９の上面２９ｄおよび両側面２９ｃ，２９ｃが灯体２の上面２ｆの背面および両側面２ｃ，２ｃの背面に沿い、器具本体３が灯体２の他端側２ｂに導入されていく。そして、プラグ１１の栓刃２１，２１（電気接続部）がソケット３０の刃受３６，３６（給電部）に入口側に到達して刃受３６，３６に当接する。
【００５５】
プラグ１１の栓刃２１，２１とソケット３０の刃受３６，３６のそれぞれの軸芯が一致していない状態で、灯体２がさらに押し込まれると、刃受３６，３６の入口側が、図８に示すように、テーパ状に形成されていて、ソケット本体３５が刃受３６，３６の長手方向と直交する方向に移動可能となっているので、ソケット本体３５が移動することによって、プラグ１１の栓刃２１，２１が刃受３６，３６の内部に挿入される。
【００５６】
そして、灯体２の両側面２ｃ，２ｃ側に設けられた係止部としての係止部材２３，２３の係止爪２７，２７が器具本体３の両側面２９ｃ，２９ｃに設けられた被係止部としての段部２８，２８を乗り越える。このとき、灯体２が器具本体３への押し込み方向と直交する方向に振れる（移動する）と、灯体２に固定されているプラグ１１を介してソケット本体３５が前記押し込み方向と直交する方向に移動する。
【００５７】
そして、係止部材２３，２３の略中央部２３ｂ，２３ｂは、軸支され、他端側２３ａ，２３ａは、灯体２の両側面２ｃ，２ｃの内面側に配設さればね２６，２６により押圧されているので、シーソーの原理により、係止部材２３，２３の係止爪２７，２７が器具本体３の段部２８，２８を乗り越えると、係止爪２７，２７は段部２８，２８に係止する。この係止により、灯体２が器具本体３に取り付けられる。このとき、灯体２は、器具本体３に略密着する。
【００５８】
そして、灯体２を器具本体３から取り外すときには、照明装置１がポール５に対して回動自在であるので、まず、灯体２の上面２ｆに設けられた切り欠き部４１から器具本体３の突出部４０を例えば指で押え、あるいは突出部４０を掴んで支持する。この支持状態において、灯体２の両側面２ｃ，２ｃ側に設けられた係止部材２３，２３の他端側２３ａ，２３ａを把持して押圧する。灯体２の内面側に配設されたばね２６，２６が縮むことにより、係止部材２３，２３の一端側２３ｃ，２３ｃが拡開して係止爪２７，２７が段部２８，２８から取り外れる。
【００５９】
係止爪２７，２７が段部２８，２８から取り外れた状態で、灯体２を器具本体３の後端側と反対方向の前面側に引っ張る。これにより、器具本体３の切り欠き部３９，３９の端面が前記境界２５，２５に沿って移動して、灯体２が器具本体３から取り外される。
【００６０】
上述したように、プラグ１１の栓刃２１，２１がソケット３０の刃受３６，３６に挿入されるとき、ソケット本体３５が移動することによってプラグ１１の栓刃２１，２１をソケット３０の刃受３６，３６に容易に挿入することができる。また、ソケット本体３５が移動することによって、係止部材２３，２３の係止爪２７，２７が器具本体３の段部２８，２８に係止されるときの灯体２の振れ（移動）におけるプラグ１１の栓刃２６，２６およびソケット３０の刃受３６，３６に対する負担を低減できるとともに、灯体２を器具本体３に容易に取り付けることができる。
【００６１】
そして、ソケット３０は、ソケット本体３０が移動するように支持部材３２，３２により支持されているので、プラグ１１の栓刃２１，２１をソケット３０の刃受３６，３６に挿入するミスアライメントに対する構成などを簡素にすることができて、照明装置１を安価に形成することができる。
【００６２】
また、灯体２の両側面２ｃ，２ｃの内面側に形成された境界２５，２５が器具本体３の切り欠き部３９，３９に案内されることにより、プラグ１１の栓刃２１，２１がソケット３０の刃受３６，３６の入口側に導かれて刃受３６，３６に挿入されるので、プラグ１１の栓刃２１，２１のソケット３０の刃受３６，３６への位置決めが正確にでき、当該位置決めさせる手間（手段）を要しなくすることができる。
【００６３】
そして、係止部材２３，２３の他端側２３ａ，２３ａの把持またはその解除すなわち当該把持されないことにより、灯体２の係止部材２３，２３の係止爪２７，２７が器具本体３の段部２８，２８に着脱されるので、灯体２の器具本体３への着脱を容易に行うことができる。そして、灯体２の切り欠き部４１から器具本体３の突出部４０を支持することにより、ポール５に下部側３ａが軸支されている器具本体３を動かすことなく、灯体２を器具本体３に容易に着脱させることができる。
【００６４】
また、灯体２は、器具本体３に略密着して取り付けられるので、発光ダイオード１０の点灯に伴う熱は、器具本体３（本体部２９）に伝熱され、さらに器具本体３からポール（支持体）５に伝熱される。発光ダイオード１０からの熱は、灯体２に加えて、器具本体３の背面２９ｂや下部側３ａおよびポール５から放熱される。これにより、灯体２を小形に形成しても、発光ダイオード１０の温度上昇を抑制することができる。
【００６５】
次に、本発明の第２の実施形態について述べる。
【００６６】
図１０は、本発明の第２の実施形態を示す照明装置の概略断面図である。なお、図５、図７および図９と同一部分には、同一符号を付して説明は省略する。
【００６７】
図１０に示す照明装置４２は、図９に示す照明装置１において、プラグ１１が移動可能に支持され、ソケット３０が固定されている。プラグ１１を支持する支持部材３２，３２は、下板部３２ａ，３２ａが基板１６にねじ４３，４３により固定されている。そして、支持部材３２，３２の上板部３２ｃ，３２ｃがプラグ１１の両端側を押えている。また、基板１６の中央部には、プラグ１１が移動できる大きさの孔４４が形成されている。プラグ１１は、基板１６および支持部材３２，３２の上板部３２ｃ，３２ｃにより移動可能に支持されている。凹部７および凹部８は、プラグ１１を収容する内部空間となっている
【００６８】
そして、器具本体３の本体部２９の底面２９ａには、角柱状に形成された同一高さの取付部材４５，４５が固着されている。そして、ソケット３０は、接続ピン３７，３７が取付部材４５，４５間に位置するようにしてねじ４６，４６により取付部材４４，４４に固定されている。
【００６９】
灯体２の他端側２ｂに器具本体３が導入され、プラグ１１の栓刃２１，２１（電気接続部）がソケット３０の刃受３６，３６（給電部）の入口側に到達したときに、プラグ１１が移動することによって、プラグ１１の栓刃２１，２１が刃受３６，３６に容易に挿入（係合）される。また、プラグ１１が移動することによって、灯体２の他端側２ｂに器具本体３が導入されているときの灯体２の振れ（移動）が吸収されて、係止部材２３，２３の係止爪２７，２７が器具本体３の段部２８，２８に容易に係止される。
【００７０】
なお、第１および第２の実施形態において、係止部としての係止部材２３，２３を灯体２に設け、被係止部としての段部２８，２８を器具本体３に設けているが、係止部材２３，２３を器具本体３側に設け、段部２８，２８を灯体２側に設けるようにしてもよい。
【図面の簡単な説明】
【００７１】
【図１】本発明の第１の実施形態を示す照明装置の概略側面図。
【図２】同じく、照明装置の概略正面図。
【図３】同じく、照明装置の概略背面図。
【図４】同じく、照明装置の一部切り欠き概略上面図。
【図５】同じく、灯体の概略断面図。
【図６】同じく、灯体の概略背面図。
【図７】同じく、器具本体の概略断面図。
【図８】同じく、器具本体の概略正面図。
【図９】同じく、照明装置の概略断面図。
【図１０】本発明の第２の実施形態を示す照明装置の概略断面図。
【符号の説明】
【００７２】
１，４２…照明装置
２…灯体
３…器具本体
４…取付手段
【図１】
2007294353.tif 000003
【図２】
2007294353.tif 000004
【図３】
2007294353.tif 000005
【図４】
2007294353.tif 000006
【図５】
2007294353.tif 000007
【図６】
2007294353.tif 000008
【図７】
2007294353.tif 000009
【図８】
2007294353.tif 000010
【図９】
2007294353.tif 000011
【図１０】
2007294353.tif 000012